(57)【要約】【課題】  携帯端末を利用して車両を駐車場に駐車させるのに便利な駐車場の運用方法を提供しようとする。【解決手段】  従来の駐車場の運用方法に変わって、前記外部通信コントロール部が利用者の操作する電気通信機器との通信を確保し、前記外部通信コントロール部が特定電気通信機器から車両を入庫または出庫させるための操作指令を受信し、前記外部通信コントロール部により受信された操作指令に基づき利用者の乗る車両を入庫または出庫させるために駐車場を制御し、前記外部通信コントロール部が操作結果を前記サーバに送信し、前記サーバが受信した前記操作結果を利用者の操作する特定電気通信機器へ送信する、ものとした。【選択図】    図５
2018044423.tif 000002
【特許請求の範囲】
【請求項１】
電気通信機器を操作する利用者の乗る車両を駐車させる駐車場の運用方法であって、
利用者の操作する電気通信機器と通信可能な電子機器である外部通信コントロール部と電気通信コントロール部と電子通信回線を介して電気通信機器と通信できるサーバとを準備する準備工程と、
前記外部通信コントロール部が利用者の操作する電気通信機器との通信を確保する通信確保工程と、
前記外部通信コントロール部が特定電気通信機器から車両を入庫または出庫させるための操作指令を受信する操作指令受信工程と、
前記外部通信コントロール部により受信された操作指令に基づき利用者の乗る車両を入庫または出庫させるために駐車場を制御する入出庫工程と、
前記外部通信コントロール部が車両を入庫または出庫させるために駐車場を制御した結果である制御結果に対応する操作結果を前記サーバに送信する外部通信コントロール部操作結果送信工程と、
前記サーバが受信した前記操作結果を利用者の操作する特定電気通信機器へ送信するサーバ操作結果送信工程と、
を備え、
前記通信確保工程を実行した後で前記操作指令受信工程と前記入出庫工程と前記外部通信コントロール部操作結果送信工程と前記サーバ操作結果送信工程とを必要な回数だけ繰り返し実行して、利用者の乗る車両を入庫または出庫させる、
ここで、
前記特定電気通信機器は前記外部通信コントロール部との通信を確保した電気通信機器である、
ことを特徴とする駐車場の運用方法。
【請求項２】
前記準備工程が、前記外部通信コントロール部から利用者の乗る車両を入庫または出庫させるための制御指令を受け取り車両を入庫または出庫させるために駐車場を制御をする駐車場制御装置を準備し、
前記入出庫工程が、
前記外部通信コントロール部が受信した操作指令に対応する制御指令を前記駐車場制御装置に送信する外部通信コントロール部制御指令送信工程と、
前記駐車場制御装置が受信した制御指令を基にして車両を入庫または出庫させるために駐車場を制御した後で前記制御結果を前記外部通信コントロール部へ送信する駐車場制御工程と、
を有する、
ことを特徴とする請求項１に記載の駐車場の運用方法。
【請求項３】
前記外部通信コントロール部が利用者の操作する特定電気通信機器との通信を遮断する通信遮断工程と、
前記外部通信コントロール部が利用者の操作する前記特定電気通信機器との通信が確保されているか否かを診断する通信診断工程と、
前記外部通信コントロール部が前記サーバに警告通知を送信する外部通信コントロール部警告通知送信工程と、
前記サーバが受信した前記警告通知を利用者の操作する前記特定電気通信機器に送信するサーバ警告通知送信工程と、
を備え
前記通信確保工程を実行した後で前記操作指令受信工程と前記入出庫工程と前記外部通信コントロール部操作結果送信工程と前記サーバ操作結果送信工程とを繰り返し実行して利用者の乗る車両を入庫または出庫させた後で前記通信遮断工程を実行し、
前記通信確保工程を実行した後で前記通信遮断工程を実行する前に前記通信診断工程を実行し、
前記通信診断工程が利用者の操作する前記特定電気通信機器と前記外部通信コントロール部との通信が確保されていないと診断するとき前記外部通信コントロール部警告通知送信工程と前記サーバ警告通知送信工程とを実行する、
ことを特徴とする請求項２に記載の駐車場の運用方法。
【請求項４】
駐車場は車両が駐車場に入るための入出庫口を開閉できる入出庫扉を持ち、
前記操作指令受信工程は、前記外部通信コントロール部が前記特定電気通信機器から車両を入庫または出庫させるための操作指令である入出庫扉開指令を受信する第一操作指令受信工程と、前記外部通信コントロール部が前記特定電気通信機器から車両を入庫または出庫させるための操作指令である入出庫扉閉指令を受信する第二操作指令受信工程と、を有し、
前記入出庫工程は、前記外部通信コントロール部により受信された操作指令に基づき利用者の乗る車両を入庫または出庫させるために駐車場を制御して入出庫扉を開く第一入出庫工程と、前記外部通信コントロール部により受信された操作指令に基づき利用者の乗る車両を入庫または出庫させるために駐車場を制御して入出庫扉を閉じる第二入出庫工程と、
を有し、
前記外部通信コントロール部操作結果送信工程は、前記外部通信コントロール部が前記制御結果に対応する操作結果である入出庫扉開通知を前記サーバに送信する第一外部通信コントロール部操作結果送信工程と、前記外部通信コントロール部が前記制御結果に対応する操作結果である入出庫完了／入出庫扉閉通知を前記サーバに送信する第二外部通信コントロール部操作結果送信工程と、を有し、
前記サーバ操作結果送信工程は、前記サーバが受信した前記操作結果である入出庫扉開通知を利用者の操作する前記特定電気通信機器へ送信する第一サーバ操作結果送信工程と、前記サーバが受信した前記操作結果である入出庫完了／入出庫扉閉通知を利用者の操作する前記特定電気通信機器へ送信する第二サーバ操作結果送信工程と、を有し、
前記通信確保工程を実行した後で前記第一操作指令受信工程と前記第一入出庫工程と前記第一外部通信コントロール部操作結果送信工程と前記第一サーバ操作結果送信工程とを実行した後で、前記第二操作指令受信工程と前記第二入出庫工程と前記第二外部通信コントロール部操作結果送信工程と前記第二サーバ操作結果送信工程とを、実行して、利用者の乗る車両を入庫または出庫させる、
ことを特徴とする請求項３に記載の駐車場の運用方法。
【請求項５】
前記外部通信コントロール部が利用者の操作する特定電気通信機器との通信を遮断する通信遮断工程と、
前記外部通信コントロール部が利用者の操作する前記特定電気通信機器との通信が確保されているか否かを診断する通信診断工程と、
前記外部通信コントロール部が前記サーバに警告通知を送信する外部通信コントロール部警告通知送信工程と、
前記サーバが受信した前記警告通知を利用者の操作する前記特定電気通信機器に送信するサーバ警告通知送信工程と、
を備え
前記通信確保工程を実行した後で前記操作指令受信工程と前記入出庫工程と前記外部通信コントロール部操作結果送信工程と前記サーバ操作結果送信工程とを繰り返し実行して利用者の乗る車両を入庫または出庫させた後で前記通信遮断工程を実行し、
前記通信確保工程を実行した後で前記通信遮断工程を実行する前に前記通信診断工程を実行し、
前記通信診断工程が利用者の操作する前記特定電気通信機器と前記外部通信コントロール部との通信が確保されていないと診断するとき前記外部通信コントロール部警告通知送信工程と前記サーバ警告通知送信工程とを実行する、
ことを特徴とする請求項１に記載の駐車場の運用方法。
【請求項６】
駐車場は車両が駐車場に入るための入出庫口を開閉できる入出庫扉を持ち、
前記操作指令受信工程は、前記外部通信コントロール部が前記特定電気通信機器から車両を入庫または出庫させるための操作指令である入出庫扉開指令を受信する第一操作指令受信工程と、前記外部通信コントロール部が前記特定電気通信機器から車両を入庫または出庫させるための操作指令である入出庫扉閉指令を受信する第二操作指令受信工程と、を有し、
前記入出庫工程は、前記外部通信コントロール部により受信された操作指令に基づき利用者の乗る車両を入庫または出庫させるために駐車場を制御して入出庫扉を開く第一入出庫工程と、前記外部通信コントロール部により受信された操作指令に基づき利用者の乗る車両を入庫または出庫させるために駐車場を制御して入出庫扉を閉じる第二入出庫工程と、
を有し、
前記外部通信コントロール部操作結果送信工程は、前記外部通信コントロール部が前記制御結果に対応する操作結果である入出庫扉開通知を前記サーバに送信する第一外部通信コントロール部操作結果送信工程と、前記外部通信コントロール部が前記制御結果に対応する操作結果である入出庫完了／入出庫扉閉通知を前記サーバに送信する第二外部通信コントロール部操作結果送信工程と、を有し、
前記サーバ操作結果送信工程は、前記サーバが受信した前記操作結果である入出庫扉開通知を利用者の操作する前記特定電気通信機器へ送信する第一サーバ操作結果送信工程と、前記サーバが受信した前記操作結果である入出庫完了／入出庫扉閉通知を利用者の操作する前記特定電気通信機器へ送信する第二サーバ操作結果送信工程と、を有し、
前記通信確保工程を実行した後で前記第一操作指令受信工程と前記第一入出庫工程と前記第一外部通信コントロール部操作結果送信工程と前記第一サーバ操作結果送信工程とを実行した後で、前記第二操作指令受信工程と前記第二入出庫工程と前記第二外部通信コントロール部操作結果送信工程と前記第二サーバ操作結果送信工程とを、実行して、利用者の乗る車両を入庫または出庫させる、
ことを特徴とする請求項１に記載の駐車場の運用方法。
【請求項７】
電気通信機器を操作する利用者の乗る車両を駐車させる駐車場の運用方法であって、
利用者の操作する電気通信機器と通信可能な電子機器である外部通信コントロール部と電気通信コントロール部と電子通信回線を介して電気通信機器と通信できるサーバとを準備する準備工程と、
前記外部通信コントロール部が利用者の操作する電気通信機器との通信を確保する通信確保工程と、
前記外部通信コントロール部が特定電気通信機器から車両を入庫または出庫させるための操作指令を受信する操作指令受信工程と、
前記外部通信コントロール部により受信された操作指令に基づき利用者の乗る車両を入庫または出庫させるために駐車場を制御する入出庫工程と、
前記外部通信コントロール部が利用者の操作する特定電気通信機器との通信を遮断する通信遮断工程と、
前記外部通信コントロール部が利用者の操作する前記特定電気通信機器との通信が確保されているか否かを診断する通信診断工程と、
前記外部通信コントロール部が前記サーバに警告通知を送信する外部通信コントロール部警告通知送信工程と、
前記サーバが受信した前記警告通知を利用者の操作する前記特定電気通信機器に送信するサーバ警告通知送信工程と、
を備え
前記通信確保工程を実行した後で前記操作指令受信工程と前記入出庫工程とを繰り返し実行して利用者の乗る車両を入庫または出庫させた後で前記通信遮断工程を実行し、
前記通信確保工程を実行した後で前記通信遮断工程を実行する前に前記通信診断工程を実行し、
前記通信診断工程が利用者の操作する前記特定電気通信機器と前記外部通信コントロール部との通信が確保されていないと診断するとき前記外部通信コントロール部警告通知送信工程と前記サーバ警告通知送信工程とを実行し、
ここで、前記特定電気通信機器は前記外部通信コントロール部との通信を確保した電気通信機器である、
ことを特徴とする駐車場の運用方法。
【発明の詳細な説明】
【技術分野】
【０００１】
本発明は、電気通信機器を操作する利用者の乗る車両を駐車させる駐車システムに係る。特に、電気通信機器を操作する利用者の乗る車両を入出庫口を通して受入れて駐車させる駐車場の運用方法に関する。
【背景技術】
【０００２】
複数の車両を駐車させるのに駐車場を用いることがある。
駐車場は、車両を入出庫空間と駐車空間との間で移載させて駐車空間に駐車させる。
例えば、機械式駐車場は、車両をパレットに乗せ、パレットを入出庫空間と駐車空間との間で移載させて駐車空間に駐車させる。
例えば、自走式駐車場は、自走する車両を入出庫口から受入れて、車両が自走して駐車空間に止まる。
【０００３】
操作盤が駐車場に設置されている。
利用者は入庫操作・出庫操作をおこなうために車両から降りて操作盤にたいして操作をおこなう。
【０００４】
上述のとおり、駐車場を操作するには車両を降りる必要があるが、雨天のときなど不便であるとの意見がある。
また、駐車場の機種により操作方法が異なっており、利用者が操作方法を事前に学習する必要がある。
【０００５】
そこで、携帯端末で駐車場の操作を行うことが提案されている。
発明者らは、モバイル端末やカーナビにて駐車場の操作を行うことを提案する。
モバイル端末は、携帯電話、スマートホン、携帯タブレット、パソコン、等である。
操作インターフェースを統一することで、どの駐車場を利用する場合も同じ操作で入庫・出庫操作をおこなうことができる。
また、駐車場とモバイル端末やカーナビとを無線でつなぐことにより車両から降りずに入庫操作・出庫操作を行える。
【０００６】
利用者が携帯端末で駐車場を操作する場合、操作指令を携帯端末から駐車場へおくった後で、駐車場がいわゆるフリーズしてしまうことが想定される。この様な事態が発生したとき、利用者に適切な情報をおくらないと、利用者がとまどっています。
【０００７】
利用者が携帯端末で駐車場を操作する場合、操作指令を携帯端末から駐車場へおくった後で、利用者が入出庫口から立ち去ってしまうことが想定される。この様な事態が発生したとき、駐車場の制御が中途で止まっていまう。
【０００８】
車両から可能なかぎり降りることがなく、複雑な駐車場の操作を統一できて異なる機種の駐車場でも同じ操作を可能とする駐車システム１００が望まれている。
【発明の概要】
【発明が解決しようとする課題】
【０００９】
本発明は以上に述べた問題点に鑑み案出されたもので、携帯端末を利用して車両を駐車場に駐車させるのに便利な駐車場の運用方法を提供しようとする。
【課題を解決するための手段】
【００１０】
上記目的を達成するため、本発明に係る電気通信機器を操作する利用者の乗る車両を駐車させる駐車場の運用方法であって、利用者の操作する電気通信機器と通信可能な電子機器である外部通信コントロール部と電気通信コントロール部と電子通信回線を介して電気通信機器と通信できるサーバとを準備する準備工程と、前記外部通信コントロール部が利用者の操作する電気通信機器との通信を確保する通信確保工程と、前記外部通信コントロール部が特定電気通信機器から車両を入庫または出庫させるための操作指令を受信する操作指令受信工程と、前記外部通信コントロール部により受信された操作指令に基づき利用者の乗る車両を入庫または出庫させるために駐車場を制御する入出庫工程と、前記外部通信コントロール部が車両を入庫または出庫させるために駐車場を制御した結果である制御結果に対応する操作結果を前記サーバに送信する外部通信コントロール部操作結果送信工程と、前記サーバが受信した前記操作結果を利用者の操作する特定電気通信機器へ送信するサーバ操作結果送信工程と、を備え、前記通信確保工程を実行した後で前記操作指令受信工程と前記入出庫工程と前記外部通信コントロール部操作結果送信工程と前記サーバ操作結果送信工程とを必要な回数だけ繰り返し実行して、利用者の乗る車両を入庫または出庫させる、ここで、前記特定電気通信機器は前記外部通信コントロール部との通信を確保した電気通信機器である、ものとした。
【００１１】
上記本発明の構成により、準備工程は、利用者の操作する電気通信機器と通信可能な電子機器である外部通信コントロール部と電気通信コントロール部と電子通信回線を介して電気通信機器と通信できるサーバとを準備する。通信確保工程は、前記外部通信コントロール部が利用者の操作する電気通信機器との通信を確保する。操作指令受信工程は、前記外部通信コントロール部が特定電気通信機器から車両を入庫または出庫させるための操作指令を受信する入出庫工程は、前記外部通信コントロール部により受信された操作指令に基づき利用者の乗る車両を入庫または出庫させるために駐車場を制御する。外部通信コントロール部操作結果送信工程は、前記外部通信コントロール部が車両を入庫または出庫させるために駐車場を制御した結果である制御結果に対応する操作結果を前記サーバに送信する。サーバ操作結果送信工程は、前記サーバが受信した前記操作結果を利用者の操作する特定電気通信機器へ送信する。前記通信確保工程を実行した後で前記操作指令受信工程と前記入出庫工程と前記外部通信コントロール部操作結果送信工程と前記サーバ操作結果送信工程とを必要な回数だけ繰り返し実行して、利用者の乗る車両を入庫または出庫させる。ここで、前記特定電気通信機器は前記外部通信コントロール部との通信を確保した電気通信機器である
その結果、利用者の電気通信機器に対する操作により利用者の乗る車両を駐車場に入庫または出庫させることができる。
【００１２】
以下に、本発明の実施形態に係る駐車場の運用方法を説明する。本発明は、以下に記載した実施形態のいずれか、またはそれらの中の二つ以上が組み合わされた態様を含む。
【００１３】
本発明の実施形態に係る駐車場の運用方法は、前記準備工程が、前記外部通信コントロール部から利用者の乗る車両を入庫または出庫させるための制御指令を受け取り車両を入庫または出庫させるために駐車場を制御をする駐車場制御装置を準備し、前記入出庫工程が、前記外部通信コントロール部が受信した操作指令に対応する制御指令を前記駐車場制御装置に送信する外部通信コントロール部制御指令送信工程と、前記駐車場制御装置が受信した制御指令を基にして車両を入庫または出庫させるために駐車場を制御した後で前記制御結果を前記外部通信コントロール部へ送信する駐車場制御工程と、を有する、
上記の実施形態の構成により、駐車場制御装置が、前記外部通信コントロール部から利用者の乗る車両を入庫または出庫させるための制御指令を受け取り車両を入庫または出庫させるために駐車場を制御をする装置である。前記入出庫工程の外部通信コントロール部制御指令送信工程は、前記外部通信コントロール部が受信した操作指令に対応する制御指令を駐車場制御装置に送信する。前記入出庫工程の駐車場制御工程は、前記駐車場制御装置が受信した制御指令を基にして車両を入庫または出庫させるために駐車場を制御した後で前記制御結果を前記外部通信コントロール部へ送信する。
その結果、駐車場制御装置は、前記外部通信コントロール部からの制御指令を基にして駐車場を制御した後でその制御結果を前記外部通信コントロール部に送信することで、車両を入庫または出庫させることができる。
【００１４】
本発明の実施形態に係る駐車場の運用方法は、前記外部通信コントロール部が利用者の操作する特定電気通信機器との通信を遮断する通信遮断工程と、前記外部通信コントロール部が利用者の操作する前記特定電気通信機器との通信が確保されているか否かを診断する通信診断工程と、前記外部通信コントロール部が前記サーバに警告通知を送信する外部通信コントロール部警告通知送信工程と、前記サーバが受信した前記警告通知を利用者の操作する前記特定電気通信機器に送信するサーバ警告通知送信工程と、を備え前記通信確保工程を実行した後で前記操作指令受信工程と前記入出庫工程と前記外部通信コントロール部操作結果送信工程と前記サーバ操作結果送信工程とを繰り返し実行して利用者の乗る車両を入庫または出庫させた後で前記通信遮断工程を実行し、前記通信確保工程を実行した後で前記通信遮断工程を実行する前に前記通信診断工程を実行し、前記通信診断工程が利用者の操作する前記特定電気通信機器と前記外部通信コントロール部との通信が確保されていないと診断するとき外部通信コントロール部警告通知送信工程と前記サーバ警告通知送信工程とを実行する。
上記の実施形態の構成により、通信遮断工程は、前記外部通信コントロール部が利用者の操作する特定電気通信機器との通信を遮断する。通信診断工程は、前記外部通信コントロール部が利用者の操作する前記特定電気通信機器との通信が確保されているか否かを診断する。外部通信コントロール部警告通知送信工程は、前記外部通信コントロール部が前記サーバに警告通知を送信する。サーバ警告通知送信工程は、前記サーバが受信した前記警告通知を利用者の操作する前記特定電気通信機器に送信する。前記通信確保工程を実行した後で前記操作指令受信工程と前記入出庫工程と前記外部通信コントロール部操作結果送信工程と前記サーバ操作結果送信工程とを繰り返し実行して利用者の乗る車両を入庫または出庫させた後で前記通信遮断工程を実行する。前記通信確保工程を実行した後で前記通信遮断工程を実行する前に前記通信診断工程を実行する。前記通信診断工程で前記外部通信コントロール部が利用者の操作する前記特定電気通信機器との通信が確保されていないと診断するとき前記外部通信コントロール部警告通知送信工程と前記サーバ警告通知送信工程とを実行する。
その結果、車両を入庫または出庫させている最中に、利用者が入出庫口から立ち去る等をして、外部通信コントロール部と特定電気通信機器との通信が途絶えたときに、利用者の操作する特定電気通信機器に警告通知を送ることができる。
【００１５】
本発明の実施形態に係る駐車場の運用方法は、駐車場は車両が駐車場に入るための入出庫口を開閉できる入出庫扉を持ち、前記操作指令受信工程は、前記外部通信コントロール部が前記特定電気通信機器から車両を入庫または出庫させるための操作指令である入出庫扉開指令を受信する第一操作指令受信工程と、前記外部通信コントロール部が前記特定電気通信機器から車両を入庫または出庫させるための操作指令である入出庫扉閉指令を受信する第二操作指令受信工程と、を有し、前記入出庫工程は、前記外部通信コントロール部により受信された操作指令に基づき利用者の乗る車両を入庫または出庫させるために駐車場を制御して入出庫扉を開く第一入出庫工程と、前記外部通信コントロール部により受信された操作指令に基づき利用者の乗る車両を入庫または出庫させるために駐車場を制御して入出庫扉を閉じる第二入出庫工程と、を有し、前記外部通信コントロール部操作結果送信工程は、前記外部通信コントロール部が前記制御結果に対応する操作結果である入出庫扉開通知を前記サーバに送信する第一外部通信コントロール部操作結果送信工程と、前記外部通信コントロール部が前記制御結果に対応する操作結果である入出庫完了／入出庫扉閉通知を前記サーバに送信する第二外部通信コントロール部操作結果送信工程と、を有し、前記サーバ操作結果送信工程は、前記サーバが受信した前記操作結果である入出庫扉開通知を利用者の操作する前記特定電気通信機器へ送信する第一サーバ操作結果送信工程と、前記サーバが受信した前記操作結果である入出庫完了／入出庫扉閉通知を利用者の操作する前記特定電気通信機器へ送信する第二サーバ操作結果送信工程と、を有し、前記通信確保工程を実行した後で前記第一操作指令受信工程と前記第一入出庫工程と前記第一外部通信コントロール部操作結果送信工程と前記第一サーバ操作結果送信工程とを実行した後で、前記第二操作指令受信工程と前記第二入出庫工程と前記第二外部通信コントロール部操作結果送信工程と前記第二サーバ操作結果送信工程とを、実行して、利用者の乗る車両を入庫または出庫させる。
上記の実施形態の構成により、第一操作指令受信工程は、前記外部通信コントロール部が前記特定電気通信機器から車両を入庫または出庫させるための操作指令である入出庫扉開指令を受信する。第二操作指令受信工程は、前記外部通信コントロール部が前記特定電気通信機器から車両を入庫または出庫させるための操作指令である入出庫扉閉指令を受信する。第一入出庫工程は、前記外部通信コントロール部により受信された操作指令に基づき利用者の乗る車両を入庫または出庫させるために駐車場を制御して入出庫扉を開く。第二入出庫工程は、前記外部通信コントロール部により受信された操作指令に基づき利用者の乗る車両を入庫または出庫させるために駐車場を制御して入出庫扉を閉じる。第一外部通信コントロール部操作結果送信工程は、前記外部通信コントロール部が前記制御結果に対応する操作結果である入出庫扉開通知を前記サーバに送信する。第二外部通信コントロール部操作結果送信工程は、前記外部通信コントロール部が前記制御結果に対応する操作結果である入出庫完了／入出庫扉閉通知を前記サーバに送信する。第一サーバ操作結果送信工程は、前記サーバが受信した前記操作結果である入出庫扉開通知を利用者の操作する前記特定電気通信機器へ送信する。第二サーバ操作結果送信工程は、前記サーバが受信した前記操作結果である入出庫完了／入出庫扉閉通知を利用者の操作する前記特定電気通信機器へ送信する。前記通信確保工程を実行した後で前記第一操作指令受信工程と前記第一入出庫工程と前記第一外部通信コントロール部操作結果送信工程と前記第一サーバ操作結果送信工程とを実行した後で、前記第二操作指令受信工程と前記第二入出庫工程と前記第二外部通信コントロール部操作結果送信工程と前記第二サーバ操作結果送信工程とを、実行して利用者の乗る車両を入庫または出庫させる。
【００１６】
本発明の実施形態に係る駐車場の運用方法は、利用者の操作する電気通信機器と通信可能な電子機器である外部通信コントロール部と電気通信コントロール部と電子通信回線を介して電気通信機器と通信できるサーバとを準備する準備工程と、前記外部通信コントロール部が利用者の操作する電気通信機器との通信を確保する通信確保工程と、前記外部通信コントロール部が特定電気通信機器から車両を入庫または出庫させるための操作指令を受信する操作指令受信工程と、前記外部通信コントロール部により受信された操作指令に基づき利用者の乗る車両を入庫または出庫させるために駐車場を制御する入出庫工程と、
前記外部通信コントロール部が利用者の操作する特定電気通信機器との通信を遮断する通信遮断工程と、前記外部通信コントロール部が利用者の操作する前記特定電気通信機器との通信が確保されているか否かを診断する通信診断工程と、前記外部通信コントロール部が前記サーバに警告通知を送信する外部通信コントロール部警告通知送信工程と、前記サーバが受信した前記警告通知を利用者の操作する前記特定電気通信機器に送信するサーバ警告通知送信工程と、を備え前記通信確保工程を実行した後で前記操作指令受信工程と前記入出庫工程とを繰り返し実行して利用者の乗る車両を入庫または出庫させた後で前記通信遮断工程を実行し、前記通信確保工程を実行した後で前記通信遮断工程を実行する前に前記通信診断工程を実行し、前記通信診断工程が利用者の操作する前記特定電気通信機器と前記外部通信コントロール部との通信が確保されていないと診断するとき前記外部通信コントロール部警告通知送信工程と前記サーバ警告通知送信工程とを実行する。ここで、前記特定電気通信機器は前記外部通信コントロール部との通信を確保した電気通信機器である、ものとした。
上記の実施形態の構成により、準備工程は、利用者の操作する電気通信機器と通信可能な電子機器である外部通信コントロール部と電気通信コントロール部と電子通信回線を介して電気通信機器と通信できるサーバとを準備する。通信確保工程は、前記外部通信コントロール部が利用者の操作する電気通信機器との通信を確保する。操作指令受信工程は、前記外部通信コントロール部が特定電気通信機器から車両を入庫または出庫させるための操作指令を受信する入出庫工程は、前記外部通信コントロール部により受信された操作指令に基づき利用者の乗る車両を入庫または出庫させるために駐車場を制御する。通信遮断工程は、前記外部通信コントロール部が利用者の操作する特定電気通信機器との通信を遮断する。通信診断工程は、前記外部通信コントロール部が利用者の操作する前記特定電気通信機器との通信が確保されているか否かを診断する。外部通信コントロール部警告通知送信工程は、前記外部通信コントロール部が前記サーバに警告通知を送信する。サーバ警告通知送信工程は、前記サーバが受信した前記警告通知を利用者の操作する前記特定電気通信機器に送信する。前記通信確保工程を実行した後で前記操作指令受信工程と前記入出庫工程とを繰り返し実行して利用者の乗る車両を入庫または出庫させた後で前記通信遮断工程を実行する。前記通信確保工程を実行した後で前記通信遮断工程を実行する前に前記通信診断工程を実行する。前記通信診断工程で前記外部通信コントロール部が利用者の操作する前記特定電気通信機器との通信が確保されていないと診断するとき前記外部通信コントロール部警告通知送信工程と前記サーバ警告通知送信工程とを実行する。
その結果、車両を入庫または出庫させている最中に、利用者が入出庫口から立ち去る等をして、外部通信コントロール部と特定電気通信機器との通信が途絶えたときに、利用者の操作する特定電気通信機器に警告通知を送ることができる。
【発明の効果】
【００１７】
以上説明したように、本発明に係る複数の車両を駐車場に駐車させる駐車システム１００は、その構成により、以下の効果を有する。
前記外部通信コントロール部が、利用者の操作する電気通信機器との通信を確保した後、前記特定電気通信機器から操作指令を受信し、受信された操作指令に基づき利用者の乗る車両を入庫または出庫させるために駐車場を制御し、車両を入庫または出庫させるために駐車場を制御した結果に対応する操作結果を前記サーバに送信し、、前記サーバが受信した前記操作結果を利用者の操作する特定電気通信機器へ送信する工程を必要な回数だけ繰り返して利用者の乗る車両を入庫または出庫させる様にしたので、利用者の電気通信機器に対する操作により利用者の乗る車両を駐車場に入庫または出庫させることができる。
また、駐車場制御装置が、制御指令を受け取り車両を入庫または出庫させために駐車場を制御をする装置であり、前記外部通信コントロール部が受信した操作指令に対応する制御指令を駐車場制御装置に送信し、前記駐車場制御装置が受信した制御指令を基にして車両を入庫または出庫させるために駐車場を制御した後で前記制御結果を前記外部通信コントロール部へ送信する様にしたので、駐車場制御装置は、前記外部通信コントロール部からの制御指令を基にして駐車場を制御した後でその制御結果を前記外部通信コントロール部に送信することで、車両を入庫または出庫させることができる。
また、外部通信コントロール部が、利用者の操作する電気通信機器との通信を確保した後、前記操作指令受信工程と前記入出庫工程と前記外部通信コントロール部操作結果送信工程と前記サーバ操作結果送信工程とを繰り返し実行して、利用者の乗る車両を入庫または出庫させた後で、特定電気通信機器との通信を遮断するまでの間に、利用者の操作する前記特定電気通信機器との通信が確保されているか否かを診断し、前記特定電気通信機器との通信が確保されていないと診断したとき、前記サーバに警告通知を送信し、前記サーバが受信した前記警告通知を利用者の操作する前記特定電気通信機器に送信する様にしたので、車両を入庫または出庫させている最中に、利用者が入出庫口から立ち去る等をして、外部通信コントロール部と特定電気通信機器との通信が途絶えたときに、利用者の操作する特定電気通信機器に警告通知を送ることができる。
また、前記外部通信コントロール部が、前記特定電気通信機器から車両を入庫または出庫させるための操作指令である入出庫扉開指令を受信し、前記外部通信コントロール部により受信された操作指令に基づき利用者の乗る車両を入庫または出庫させるために駐車場を制御して入出庫扉を開き、前記制御結果に対応する操作結果である入出庫扉開通知を前記サーバに送信し、前記サーバが受信した前記操作結果である入出庫扉開通知を利用者の操作する前記特定電気通信機器へ送信した後で、前記外部通信コントロール部が前記特定電気通信機器から車両を入庫または出庫させるための操作指令である入出庫扉閉指令を受信し、前記外部通信コントロール部により受信された操作指令に基づき利用者の乗る車両を入庫または出庫させるために駐車場を制御して入出庫扉を閉じ、前記外部通信コントロール部が前記制御結果に対応する操作結果である入出庫完了／入出庫扉閉通知を前記サーバに送信し、前記サーバが受信した前記操作結果である入出庫完了／入出庫扉閉通知を利用者の操作する前記特定電気通信機器へ送信して、利用者の乗る車両を入庫または出庫させる様にしたので、利用者の電気通信機器に対する操作により利用者の乗る車両を駐車場に入庫または出庫させることができる。
前記外部通信コントロール部が、利用者の操作する電気通信機器との通信を確保した後、前記特定電気通信機器から操作指令を受信し、受信された操作指令に基づき利用者の乗る車両を入庫または出庫させた後で、特定電気通信機器との通信を遮断するまでの間に、利用者の操作する前記特定電気通信機器との通信が確保されているか否かを診断し、前記特定電気通信機器との通信が確保されていないと診断したとき、前記サーバに警告通知を送信し、前記サーバが受信した前記警告通知を利用者の操作する前記特定電気通信機器に送信する様にしたので、車両を入庫または出庫させている最中に、利用者が入出庫口から立ち去る等をして、外部通信コントロール部と特定電気通信機器との通信が途絶えたときに、利用者の操作する特定電気通信機器に警告通知を送ることができる。
その結果、車両を駐車場に駐車させるのに便利な駐車場の運用方法を提供できる。
【図面の簡単な説明】
【００１８】
【図１】本発明の実施形態に係る駐車場の斜視図である。
【図２】本発明の実施形態に係る駐車場の概念図である。
【図３】本発明の実施形態に係る外部通信コントロール部の作用作用図である。
【図４】本発明の第一の実施形態に係る駐車場の構造説明図である。
【図５】本発明の第一の実施形態に係る駐車場の運用方法の手順図１である。
【図６】本発明の第一の実施形態に係る駐車場の運用方法の手順図２である。
【図７】本発明の第二の実施形態に係る駐車場の運用方法の手順図１である。
【図８】本発明の第二の実施形態に係る駐車場の運用方法の手順図２である。
【図９】本発明の実施形態に係る駐車場の入出庫の通信データ対応図である。
【図１０】本発明の実施形態に係る駐車システムの入庫操作機能図である。
【図１１】本発明の実施形態に係る駐車システムの出庫操作機能図である。
【図１２】各種の実施形態にかかる駐車場の概念図である。
【発明を実施するための形態】
【００１９】
以下、本発明を実施するための形態を、図面を参照して説明する。
【００２０】
最初に、本発明の実施形態にかかる駐車方法を、図を基に、説明する。
図１は、本発明の実施形態に係る駐車場の斜視図である。図２は、本発明の実施形態に係る駐車場の概念図である。図３は、本発明の実施形態に係る外部通信コントロール部の作用作用図である。
【００２１】
本発明の実施形態にかかる駐車システム１００は、サーバ１１０と駐車場１２０と複数の外部通信コントロール部１２５と電気通信機器１３０とで構成される。
本発明の実施形態にかかる駐車システム１００は、サーバ１１０と複数の駐車場１２０と複数の外部通信コントロール部１２５と複数の電気通信機器１３０とで構成されてもよい。
【００２２】
サーバ１１０は、外部通信コントロール部１２５と電子通信回線を介して電気通信機器と通信できるものである。
サーバ１１０は、外部通信コントロール部１２５と電子通信網を介して電気通信機器と通信できるてもよい。
例えば、電子通信網はインターネット、携帯電話網である。
サーバ１１０は、駐車場１２０を管理できる。
サーバ１１０は、複数の駐車場１２０を管理できてもよい。
サーバ１１０は、ＣＰＵ、メモリ、記憶装置、各種のＩ／Ｏで構成される。
サーバ１１０は、Ｉ／Ｏを介して電子通信網１４０にアクセスできる。
サーバは、サーバ用のソフトウエアがインストールされる。
サーバ用のソフトウエアは、サーバ１１０に各種の手順を実現させる。
サーバ１１０は、複数の駐車場１２０を集中管理できてもよい。
サーバ１１０は、顧客ＩＤとパーキングＩＤとを関連づけて記憶しても良い。
顧客ＩＤを与えられる利用者は、顧客ＩＤに関連づけられるパーキングＩＤを与えられる駐車場への入出庫を許可される。
【００２３】
駐車場１２０は、車両５０を駐車空間に駐車させる。
駐車場１２０は、駐車場本体１２１と駐車場制御装置１２４とで構成される。
駐車場本体１２１は、駐車場の本体である。
駐車場１２０は、複数の車両５０を駐車空間に駐車させてもよい。
駐車場１２０は、入出庫口の前に一時的に車両を停止させる一時停止空間Ｋをもつ。
駐車場１２０は、車両５０を入出庫口を通過させて入出庫空間１２２にいれる。
駐車場１２０は、車両５０を入出庫空間１２２と駐車空間との間で搬送できてもよい。
入出庫空間１２２は、利用者が車両を駐車場に入庫または出庫させる空間である。
ここで、入出庫は入庫または出庫の意味である。
駐車場１２０は、車両５０が駐車場に入るための入出庫口を開閉できる入出庫扉１２３を持つ。
通常、入出庫扉１２３が入出庫空間１２２の入出庫口に設けられる。
【００２４】
入庫するときは以下の手順で車両を入庫させる。
入出庫扉が開く。利用者６０は、車両を開いた入出庫扉の開いた入出庫口から入出庫空間にいれる。利用者６０が入出庫空間で車両からおりて。入出庫扉の開いた入出庫口を通過して入出庫空間からでる。入出庫扉が閉まる。駐車場が、車両５０を入出庫空間から駐車空間に移送する。
【００２５】
出庫するときは以下の手順で出庫させる。
駐車場が出庫させたい車両を駐車空間から入出庫空間１２２に移送する。入出庫扉１２３が開く。利用者６０が、入出庫扉１２３の開いた入出庫口を通過して入出庫空間１２２に入る。利用者６０が、車両５０に乗り、車両５０が入出庫扉の開いた入出庫口を通過して入出庫空間からでる。入出庫扉が閉まる。
図１は、駐車場１２０と入出庫空間１２２の前に止まる車両５０との様子を示す。
【００２６】
外部通信コントロール部１２５は、入出庫口の前に位置する利用者の操作する電気通信機器１３０と通信可能な電子機器である。
通信は、有線通信、無線通信、音声通信のうちの一つであってもよい。
外部通信コントロール部１２５は、入出庫口の前に位置する車両に乗った利用者の操作する電気通信機器１３０と通信可能な電子機器である。
外部通信コントロール部１２５は、ＣＰＵ、メモリ、Ｉ／Ｏ、ソフトウエアとで構成される。
外部通信コントロール部１２５は、駐車場制御装置１２４と通信可能である。
外部通信コントロール部１２５は、駐車場制御装置１２４に電気的に接続されても良い。
外部通信コントロール部１２５が、外部通信コントロール部本体と受信機とで構成されてもよい。
受信機は、入出庫口の前に設けられる車両を一時停止させる領域である一時停止領域Ｋの内側に位置する電気通信機器と通信できる指向性をもつ。
受信機は、入出庫扉１２３の近傍に設けられても良い。
受信機の指向性は、一時停止領域Ｋの内部をカバーしていてもよい。
一時停止領域Ｋは、入出庫口の前に設けられる車両を一時停止させる領域である。
図３（Ｂ）は、受信機の指向性の一例を示す。
外部通信コントロール部１２５は、サーバ１１０と通信可能である。
外部通信コントロール部１２５は、電子通信網１４０を介してサーバ１１０と通信可能であってもよい。
【００２７】
電気通信機器１３０は、車両に乗る利用者の操作するものである。
電気通信機器１３０は、電子通信網１４０を介してサーバ１１０と通信できる。
電気通信機器１３０は、ＣＰＵ、メモリ、記憶装置、各種のＩ／Ｏで構成される。
電気通信機器１３０は、Ｉ／Ｏを介して電子通信網１４０にアクセスできる。
電気通信機器１３０は、電気通信機器用のソフトウエアがインストールされる。
電気通信機器用のソフトウエアは、電気通信機器１３０に各種の手順を実現させる。
電気通信機器１３０は、利用者６０により操作される。
例えば、電気通信機器１３０は、スマートフォン、携帯タブレット、パソコン、等である。
例えば、電気通信機器１３０は、ナビゲーション装置である。
【００２８】
以下に、外部通信コントロール部１２５と電気通信機器１３０との関係を説明する。
外部通信コントロール部１２５は、入出庫口の前に位置する利用者の操作する電気通信機器と通信可能である。
図３の（Ａ）は、横から見た駐車場１２０と外部通信コントロール部１２５と車両５０と電気通信機器１３０の様子を示す。
図３（Ｂ）は、上から見た駐車場１２０と外部通信コントロール部１２５と電気通信機器１３０の様子を示す。
図３（Ｂ）の破線は、外部通信コントロール部１２５の持つ通信指向性を示す。
外部通信コントロール部１２５が図示する通信指向性を持つことにより、外部通信コントロール部１２５は、その外部通信コントロール部１２５が設けられる入出庫空間の前に位置する車両に乗る利用者の操作する電気通信機器と通信できる。
外部通信コントロール部１２５と電気通信機器１３０は、電波、音響等の媒体を用いて近距離通信をする。
例えば、外部通信コントロール部１２５と電気通信機器１３０とは、無線通信をもちいて通信をする。
例えば、外部通信コントロール部１２５と電気通信機器１３０は、ブルートゥース（登録商標）規格をもちいて電波通信をする。
例えば、外部通信コントロール部１２５と電気通信機器１３０は、音響通信をする。
【００２９】
最初に  本発明の第一の実施形態にかかる駐車場の運用方法を、図を基に、説明する。
図４は、本発明の第一の実施形態に係る駐車場の構造説明図である。図５は、本発明の第一の実施形態に係る駐車場の利用者認証方法の手順図である。図９は、本発明の実施形態に係る駐車場の入出庫の通信データ対応図である。
【００３０】
本発明の第一の実施形態に係る駐車場の運用方法は、電気通信機器１３０を操作する利用者の乗る車両を駐車させる方法である。
本発明の第一の実施形態に係る駐車場の運用方法は、電気通信機器１３０を操作する利用者の乗る車両を入出庫口を通して受入れて駐車させる方法であってもよい。
例えば、本発明の第一の実施形態に係る駐車場の運用方法は、電気通信機器１３０を操作する利用者の乗る車両を入庫させて駐車させる。
例えば、本発明の第一の実施形態に係る駐車場の運用方法は、電気通信機器１３０を操作する利用者の乗る車両を駐車空間から出して出庫させる。
【００３１】
第一の実施形態にかかる駐車場の運用方法は、準備工程Ｓ１０と通信確保工程Ｓ２０と操作指令受信工程Ｓ４０と入出庫工程Ｓ５０と外部通信コントロール部操作結果送信工程Ｓ６０とサーバ操作結果送信工程Ｓ７０とで構成される。
第一の実施形態にかかる駐車場の運用方法は、準備工程Ｓ１０と通信確保工程Ｓ２０と操作指令受信工程Ｓ４０と入出庫工程Ｓ５０と外部通信コントロール部操作結果送信工程Ｓ６０とサーバ操作結果送信工程Ｓ７０と通信遮断工程Ｓ８０で構成されてもよい。
第一の実施形態にかかる駐車場の運用方法は、準備工程Ｓ１０と通信確保工程Ｓ２０と利用者認証方法Ｓ３０と操作指令受信工程Ｓ４０と入出庫工程Ｓ５０と外部通信コントロール部操作結果送信工程Ｓ６０とサーバ操作結果送信工程Ｓ７０とで構成されてもよい。
第一の実施形態にかかる駐車場の運用方法は、準備工程Ｓ１０と通信確保工程Ｓ２０と操作指令受信工程Ｓ４０と入出庫工程Ｓ５０と外部通信コントロール部操作結果送信工程Ｓ６０とサーバ操作結果送信工程Ｓ７０と通信遮断工程Ｓ８０と通信診断工程Ｓ９１と外部通信コントロール部警告通知送信工程Ｓ９２とサーバ警告通知送信工程Ｓ９３とで構成されてもよい。
第一の実施形態にかかる駐車場の運用方法は、準備工程Ｓ１０と通信確保工程Ｓ２０と操作指令受信工程Ｓ４０と入出庫工程Ｓ５０と通信遮断工程Ｓ８０と通信診断工程Ｓ９１と外部通信コントロール部警告通知送信工程Ｓ９２とサーバ警告通知送信工程Ｓ９３とで構成されてもよい。
【００３２】
準備工程Ｓ１０は、外部通信コントロール部１２５を準備する工程である。
準備工程Ｓ１０は、外部通信コントロール部１２５とサーバ１１０とを準備してもよい。
準備工程Ｓ１０は、外部通信コントロール部１２５とサーバ１１０と駐車場制御装置１２４とを準備してもよい。
【００３３】
外部通信コントロール部１２５とサーバ１１０と駐車場制御装置１２５は、前述したものと同じなので説明を省略する。
【００３４】
通信確保工程Ｓ２０は、外部通信コントロール部１２５が利用者の操作する電気通信機器１３０との通信を確保する工程である。
通信確保工程Ｓ２０は、外部通信コントロール部１２５が入出庫口の前に位置する利用者の操作する電気通信機器１３０との通信を確保する工程である。
外部通信コントロール部１２５が、電気通信機器１３０と所定の通信プロトコルにより通信を確保する。
電気通信機器１３０が外部通信コントロール部１２５と通信可能な領域に入ると自動的に通信を確保しても良い。
例えば、利用者が車両を一時停止領域Ｋに入れると、利用者の操作する電気通信機器１３０が外部通信コントロール部１２５との通輪可能な領域に入り、外部通信コントロール部１２５が電気通信機器１３０と自動的に通信を確保する。
電気通信機器１３０は、専用のアプリケーションをインストールされていてもよい。
例えば、車両を一時停止領域の内側にいれた利用者が電気通信機器１３０のアプリケーションを起動すると、外部通信コントロール部１２５が電気通信機器１３０と自動的に通信を確保する。
一時停止領域Ｋは、入出庫口の前に設けられる車両を一時停止させる領域である。
【００３５】
利用者認証工程Ｓ３０は、特定電気通信機器を操作する利用者を認証する工程である。
ここで、特定電気通信機器は外部通信コントロール部との通信を確保した電気通信機器である。
利用者認証工程Ｓ３０は、顧客ＩＤ受信工程Ｓ３１と顧客ＩＤ有効判定工程Ｓ３２とで構成される。
【００３６】
顧客ＩＤ受信工程Ｓ３１は、通信を確保した電気通信機器から顧客ＩＤを受信する工程である。
顧客ＩＤは、駐車システム１００から利用者６０に与えられ、利用者６０を一意的に特定できるＩＤである。
顧客ＩＤは、駐車システム１００から利用者の操作する電気通信機器１３０に与えられ、利用者の操作する電気通信機器１３０を一意的に特定できるＩＤであってもよい。
電気通信機器１３０と外部通信コントロール部１２５との通信が確保されると、電気通信機器１３０が自動的に外部通信コントロール部１２５へ顧客ＩＤを送信してもよい。
電気通信機器１３０と外部通信コントロール部１２５との通信が確保されたあと、利用者が電気通信機器１３０のアプリケーションを操作すると、電気通信機器１３０が外部通信コントロール部１２５へ顧客ＩＤを送信してもよい。
【００３７】
顧客ＩＤ有効判定工程Ｓ３２は、受信した顧客ＩＤが有効が否かを判定する工程である。
以下に、４つのタイプの顧客ＩＤ有効判定工程Ｓ３２を説明する。
【００３８】
（第一のタイプの顧客ＩＤ有効判定工程Ｓ３２）
顧客ＩＤ有効判定工程Ｓ３２は、受信した顧客ＩＤが通信を確保した電気通信機器の位置する入出庫口を持つ駐車場と予め関連づけられていると判断したとき受信した顧客ＩＤが有効であると判定してもよい。
顧客ＩＤ有効判定工程Ｓ３２は、外部通信コントロール部１２５が受信した顧客ＩＤが通信を確保した電気通信機器の位置する入出庫口を持つ駐車場と予め関連づけられていると判断したとき受信した顧客ＩＤが有効であると判定してもよい。
【００３９】
（第二のタイプの顧客ＩＤ有効判定工程Ｓ３２）
顧客ＩＤ有効判定工程Ｓ３２は、外部通信コントロール部１２５が受信した顧客ＩＤと外部通信コントロール部１２５の位置する入出庫口を持つ駐車場のパーキングＩＤとをサーバ１１０に送信した後で、外部通信コントロール部１２５がサーバ１１０から顧客ＩＤがパーキングＩＤに対して有効であることを意味する有効信号を受信したとき、顧客ＩＤが有効であると判定してもよい。
サーバ１１０は、外部通信コントローブ部１２５から顧客ＩＤとパーキングＩＤを受信すると、顧客ＩＤとパーキングＩＤをが予め関連づけられているか否かを調査する。
サーバ１１０は、顧客ＩＤとパーキングＩＤをが予め関連づけられているとき外部通信コントロール部１２５へ有効信号を送信する。
サーバ１１０は、顧客ＩＤとパーキングＩＤをが予め関連づけられていないとき外部通信コントロール部１２５へ有効信号を送信しない。無効信号を送信してもよい。
【００４０】
（第三のタイプの顧客ＩＤ有効判定工程Ｓ３２）
顧客ＩＤ有効判定工程Ｓ３２は、利用者が入出庫口での入出庫操作を開始したとき特定入出庫口を確認し、受信した顧客ＩＤが確認した特定入出庫口と予め関連づけられているとき受信した顧客ＩＤが有効であると判定してもよい。
ここで、特定入出庫口は利用者が車両を入庫または出庫させるための操作である入出庫操作をする入出庫口である。
【００４１】
（第四のタイプの顧客ＩＤ有効判定工程Ｓ３２）
顧客ＩＤ有効判定工程Ｓ３２は、利用者が入出庫口での入出庫操作を開始したとき特定入出庫口を確認し、受信した顧客ＩＤが確認した特定入出庫口を持つ駐車場と予め関連づけられているとき受信した顧客ＩＤが有効であると判定してもよい。
【００４２】
操作指令受信工程ｓ４０は、  外部通信コントロール部１２５が特定電気通信機器１３０から車両を入庫または出庫させるための操作指令を受信する工程である。
ここで、特定電気通信機器１３０は外部通信コントロール部１２５との通信を確保した電気通信機器である。
利用者が電気通信機器１３０に対して操作して操作手順を入力する。
電気通信機器１３０は、操作手順に対応する操作指令を外部通信コントロール部１２５に送信する。
操作指令は、車両５０を入庫または出庫させるための指令である。
外部通信コントロール部１２５が特定電気通信機器１３０から操作指令を受信する。
【００４３】
入出庫工程Ｓ５０は、外部通信コントロール部１２５により受信された操作指令に基づき、利用者の乗る車両を入庫または出庫させるために駐車場を制御する工程である。
入出庫工程Ｓ５０は、顧客ＩＤが有効であると判断すると、外部通信コントロール部１２５により受信された操作指令に基づき、利用者の乗る車両を特定入出庫口に通して入庫または出庫させる。
利用者６０は、駐車場に設置される操作盤に対して直接に入出庫操作をしてもよい。
利用者６０は、電気通信機器１３０のアプリケーションに表れるバーチャルな操作盤を操作して、駐車場に入出庫のための操作手順をしてもよい。
利用者６０は、電気通信機器１３０のアプリケーションに表れるバーチャルな操作盤を操作して、外部通信コントロール部１２５を介して駐車場に入出庫のための操作手順をしてもよい。
【００４４】
入出庫工程Ｓ５０は、外部通信コントロール部制御指令送信工程Ｓ５０ａと駐車場制御工程Ｓ５０ｂとで構成される。
【００４５】
外部通信コントロール部制御指令送信工程Ｓ５０ａは、電気通信機器１３０から受けとった操作指令に対応する制御指令を駐車場制御装置１２４に送信する。
制御指令は、車両を入庫または出庫させるために必要な制御指令である。
【００４６】
駐車場制御工程Ｓ５０ｂは、駐車場制御装置１２４が制御指令に基づいて車両を入庫または出庫させるために駐車場１２０を制御する。
駐車場制御工程Ｓ５０ｂは、駐車場制御装置１２４が制御指令に基づいて車両を入庫または出庫させるために駐車場１２０を制御し、制御した結果である制御結果を外部通信コントロール部１２５に送信する。
駐車場制御工程Ｓ５０ｂは、駐車場制御装置１２４が制御指令に基づいて車両を入庫または出庫させるために駐車場１２０を制御し、制御を完了した後で、制御結果を外部通信コントロール部１２５に送信する。
【００４７】
外部通信コントロール部操作結果送信工程Ｓ６０は、外部通信コントロール部１２５が車両５０を入庫または出庫させるために駐車場を制御した結果である制御結果に対応する操作結果をサーバに送信する工程である。
外部通信コントロール部１２５が車両を入庫または出庫させるために駐車場１２０を制御した結果である制御結果に対応する操作結果をサーバに送信する。
【００４８】
サーバ操作結果送信工程Ｓ７０は、サーバ１１０が受信した操作結果を利用者の操作する特定電気通信機器１３０へ送信する工程である。
サーバ１１０が、外部通信コントロール部１２５から受信した操作結果を利用者の操作する特定電気通信機器１３０へ送信する。
特定電気通信機器１３０は、受信した操作結果を利用者に画像または音声で知らせる。
【００４９】
通信遮断工程Ｓ８０は、外部通信コントロール部１２５が利用者６０の操作する特定電気通信機器１３０との通信を遮断する工程である。
通信遮断工程Ｓ８０は、外部通信コントロール部１２５が入出庫口の前に位置する利用者６０の操作する特定電気通信機器１３０との通信を遮断する工程であってもよい。
外部通信コントロール部１２５が、利用者６０の操作する特定電気通信機器１３０との通信を遮断する。
【００５０】
通信診断工程Ｓ９１は、外部通信コントロール部１２５が利用者６０の操作する特定電気通信機器１３０との通信が確保されているか否かを診断する工程である。
外部通信コントロール部１２５が利用者６０の操作する特定電気通信機器１３０との通信が確保されているか否かを診断する。
【００５１】
外部通信コントロール部警告通知送信工程Ｓ９２は、外部通信コントロール部１２５がサーバ１１０に警告通知を送信する工程である。
外部通信コントロール部１２５が、サーバ１１０に警告通知を送信する。
【００５２】
サーバ警告通知送信工程Ｓ９３は、サーバ１１０が受信した警告通知を利用者６０の操作する特定電気通信機器１３０に送信する工程である。
サーバ１１０が、外部通信コントロール部１２５から受信した警告通知を利用者６０の操作する特定電気通信機器１３０に送信する。
【００５３】
通信確保工程Ｓ２０を実行した後で、操作指令受信工程Ｓ４０と入出庫工程ｓ５０と外部通信コントロール部操作結果送信工程Ｓ６０とサーバ操作結果送信工程Ｓ７０とを必要な回数だけ繰り返し実行して、利用者の乗る車両を入庫または出庫させる。
通信確保工程Ｓ２０を実行した後で、操作指令受信工程Ｓ４０と入出庫工程Ｓ５０と外部通信コントロール部操作結果送信工程Ｓ６０とサーバ操作結果送信工程Ｓ７０とを必要な回数だけ繰り返し実行して、利用者の乗る車両を入庫させてもよい。
通信確保工程Ｓ２０を実行した後で、操作指令受信工程Ｓ４０と入出庫工程Ｓ５０と外部通信コントロール部操作結果送信工程Ｓ６０とサーバ操作結果送信工程Ｓ７０とを必要な回数だけ繰り返し実行して、利用者の乗る車両を出庫させてもよい。
【００５４】
通信確保工程Ｓ２０を実行した後で、操作指令受信工程Ｓ４０と入出庫工程Ｓ５０と外部通信コントロール部操作結果送信工程Ｓ６０とサーバ操作結果送信工程Ｓ７０とを繰り返し実行して利用者６０の乗る車両を入庫または出庫させた後で通信遮断工程Ｓ８０を実行してもよい。
【００５５】
通信確保工程Ｓ２０を実行した後で、通信遮断工程Ｓ８０を実行する前に通信診断工程Ｓ９１を実行し、通信診断工程Ｓ９１が利用者の操作する特定電気通信機器と外部通信コントロール部との通信が確保されていないと診断するとき外部通信コントロール部警告通知送信工程Ｓ９２とサーバ警告通知送信工程Ｓ９４とを実行してもよい。
【００５６】
次に、本発明の第二の実施形態にかかる駐車場の運用方法を、図を基に説明する。
図７は、本発明の第二の実施形態に係る駐車場の運用方法の手順図１である。図８は、本発明の第二の実施形態に係る駐車場の運用方法の手順図２である。図９は、本発明の実施形態に係る駐車場の入出庫の通信データ対応図である。
【００５７】
本発明の第二の実施形態に係る駐車場の運用方法は、電気通信機器１３０を操作する利用者の乗る車両を駐車させる方法である。
本発明の第二の実施形態に係る駐車場の運用方法は、電気通信機器１３０を操作する利用者の乗る車両を入出庫口を通して受入れて駐車させる方法である。
例えば、本発明の第二の実施形態に係る駐車場の運用方法は、電気通信機器１３０を操作する利用者の乗る車両を入庫させて駐車させる。
例えば、本発明の第二の実施形態に係る駐車場の運用方法は、電気通信機器１３０を操作する利用者の乗る車両を駐車空間から出して出庫させる。
【００５８】
第二の実施形態にかかる駐車場の運用方法は、準備工程Ｓ１０と通信確保工程Ｓ２０と操作指令受信工程Ｓ４０と入出庫工程Ｓ５０と外部通信コントロール部操作結果送信工程Ｓ６０とサーバ操作結果送信工程Ｓ７０とで構成される。
第二の実施形態にかかる駐車場の運用方法は、準備工程Ｓ１０と通信確保工程Ｓ２０と操作指令受信工程Ｓ４０と入出庫工程Ｓ５０と外部通信コントロール部操作結果送信工程Ｓ６０とサーバ操作結果送信工程Ｓ７０と通信遮断工程Ｓ８０で構成されてもよい。
第二の実施形態にかかる駐車場の運用方法は、準備工程Ｓ１０と通信確保工程Ｓ２０と利用者認証方法Ｓ３０と操作指令受信工程Ｓ４０と入出庫工程Ｓ５０と外部通信コントロール部操作結果送信工程Ｓ６０とサーバ操作結果送信工程Ｓ７０とで構成されてもよい。
第二の実施形態にかかる駐車場の運用方法は、準備工程Ｓ１０と通信確保工程Ｓ２０と操作指令受信工程Ｓ４０と入出庫工程Ｓ５０と外部通信コントロール部操作結果送信工程Ｓ６０とサーバ操作結果送信工程Ｓ７０と通信遮断工程Ｓ８０と通信診断工程Ｓ９１と外部通信コントロール部警告通知送信工程Ｓ９２とサーバ警告通知送信工程Ｓ９３とで構成されてもよい。
【００５９】
操作指令受信工程Ｓ４０は、第一操作指令受信工程Ｓ４１と第二操作指令受信工程Ｓ４２とで構成される。
【００６０】
第一操作指令受信工程Ｓ４１は、外部通信コントロール部１２５が特定電気通信機器１３０から車両を入庫または出庫させるための操作指令である入出庫扉開指令を受信する工程である。
入出庫扉開指令は、車両を入庫または出庫させるために入出庫扉１２３を開くことを求める操作指令である。
【００６１】
第二操作指令受信工程Ｓ４２は、外部通信コントロール部１２５が特定電気通信機器１３０から車両を入庫または出庫させるための操作指令である入出庫扉閉指令を受信する工程である。
ここで、入出庫扉閉指令は、車両を入庫または出庫させるために入出庫扉１２３を閉じることを求める操作指令である。
第二操作指令受信工程Ｓ４２は、外部通信コントロール部１２５が特定電気通信機器１３０から車両を入庫または出庫させるための操作指令である安全確認／入出庫扉閉指令を受信する工程であってもよい。
ここで、安全確認／入出庫扉閉指令は、車両５０を入庫または出庫させるために入出庫空間１２２の安全を確認したことを確認し入出庫扉１２３を閉じることを求める操作指令である。
【００６２】
入出庫工程Ｓ５０は、第一入出庫工程Ｓ５１と第二入出庫工程Ｓ５２とで構成される。
【００６３】
第一入出庫工程Ｓ５１は、外部通信コントロール部１２５により受信された操作指令に基づき利用者６０の乗る車両５０を入庫または出庫させるために駐車場を制御して入出庫扉を開く工程である。
外部通信コントロール部１２５により受信した操作指令に基づき利用者の乗る車両を入庫または出庫させるために駐車場を制御して入出庫扉１２３を開く。
例えば、外部通信コントロール部１２５が受信された操作指令に対応する制御指令を駐車場制御装１２４に送信し、駐車場制御装１２４が制御指令に基づき利用者の乗る車両を入庫または出庫させるために駐車場を制御して入出庫扉１２３を開く。
第一入出庫工程Ｓ５１は、外部通信コントロール部１２５により受信された操作指令に基づき利用者の乗る車両を入庫または出庫させるために駐車場を制御してパレットを入出庫空間に呼び出して入出庫扉を開く工程であってもよい。
例えば、外部通信コントロール部１２５により受信された操作指令に基づき利用者の乗る車両を入庫または出庫させるために駐車場を制御してパレットを入出庫空間に呼び出して入出庫扉を開く。
例えば、外部通信コントロール部１２５が受信された操作指令に対応する制御指令を駐車場制御装置１２４に送信し、駐車場制御装置１２４が制御指令に基づき利用者の乗る車両を入庫または出庫させるために駐車場を制御してパレットを入出庫空間に呼び出して入出庫扉を開く。
【００６４】
第一入出庫工程Ｓ５１は、第一外部通信コントロール部制御指令送信工程Ｓ５１ａと第一駐車場制御工程Ｓ５１ｂとで構成される。
【００６５】
第一外部通信コントロール部制御指令送信工程Ｓ５１ａは、電気通信機器１３０から受けとった操作指令に対応する制御指令を駐車場制御装置１２４に送信する。
制御指令は、車両を入庫または出庫させるために必要な制御指令である。
【００６６】
第一駐車場制御工程Ｓ５１ｂは、駐車場制御装置１２４が制御指令に基づいて車両を入庫または出庫させるために駐車場を制御する。
第一駐車場制御工程Ｓ５１ｂは、駐車場制御装置１２４が制御指令に基づいて車両を入庫または出庫させるために駐車場１２０を制御し、制御した結果である制御結果を外部通信コントロール部１２５に送信する。
第一駐車場制御工程Ｓ５１ｂは、駐車場制御装置１２４が制御指令に基づいて車両を入庫または出庫させるために駐車場１２０を制御し、制御を完了した後で、制御結果を外部通信コントロール部１２５に送信する。
【００６７】
第二入出庫工程Ｓ５２は、外部通信コントロール部１２５により受信された操作指令に基づき利用者の乗る車両を入庫または出庫させるために駐車場を制御して入出庫扉を閉じる工程である。
外部通信コントロール部１２５により受信された操作指令に基づき利用者の乗る車両を入庫または出庫させるために駐車場を制御して入出庫扉を閉じる。
例えば、外部通信コントロール部１２５が受信された操作指令に対応する制御指令を駐車場制御装置に送信し、駐車場制御装置が制御指令に基づき利用者の乗る車両を入庫または出庫させるために駐車場を制御して入出庫扉を閉じる。
第二入出庫工程Ｓ５２は、外部通信コントロール部１２５により受信された操作指令に基づき利用者の乗る車両を入庫または出庫させるために駐車場を制御して入出庫扉を閉じてパレットを駐車空間に置く工程であってもよい。
外部通信コントロール部１２５により受信された操作指令に基づき利用者の乗る車両を入庫または出庫させるために駐車場を制御して入出庫扉を閉じてパレットを駐車空間に置く。
例えば、外部通信コントロール部１２５が受信された操作指令に対応する制御指令を駐車場制御装置に送信し、駐車場制御装置１２４が制御指令に基づき利用者の乗る車両を入庫または出庫させるために駐車場を制御して入出庫扉を閉じてパレットを駐車空間に置く。
【００６８】
第二入出庫工程Ｓ５２は、第二外部通信コントロール部制御指令送信工程Ｓ５２ａと第二駐車場制御工程Ｓ５２ｂとで構成される。
【００６９】
第二外部通信コントロール部制御指令送信工程Ｓ５２ａは、電気通信機器１３０から受けとった操作指令に対応する制御指令を駐車場制御装置１２４に送信する。
制御指令は、車両を入庫または出庫させるために必要な制御指令である。
【００７０】
第二駐車場制御工程Ｓ５２ｂは、駐車場制御装置１２４が制御指令に基づいて車両を入庫または出庫させるために駐車場を制御する。
第二駐車場制御工程Ｓ５２ｂは、駐車場制御装置１２４が制御指令に基づいて車両を入庫または出庫させるために駐車場１２０を制御し、制御した結果である制御結果を外部通信コントロール部１２５に送信する。
第二駐車場制御工程Ｓ５２ｂは、駐車場制御装置１２４が制御指令に基づいて車両を入庫または出庫させるために駐車場１２０を制御し、制御を完了した後で、制御結果を外部通信コントロール部１２５に送信する。
【００７１】
外部通信コントロール部操作結果送信工程Ｓ６０は、第一外部通信コントロール部操作結果送信工程Ｓ６１と第二外部通信コントロール部操作結果送信工程Ｓ６２とで構成される。
【００７２】
第一外部通信コントロール部操作結果送信工程Ｓ６１は、外部通信コントロール部１２５が車両を入庫または出庫させるために駐車場を制御した結果である制御結果に対応する操作結果である入出庫扉開通知をサーバ１１０に送信する工程である。
ここで、制御結果は、車両を入庫または出庫させるために駐車場を制御した結果である。
例えば、外部通信コントロール部１２５が制御結果に対応する操作結果である入出庫扉開通知をサーバ１１０に送信する
第一外部通信コントロール部操作結果送信工程Ｓ６１は、外部通信コントロール部１２５が制御結果に対応する操作結果であるパレット着床／入出庫扉開通知をサーバ１１０に送信する工程であってもよい。
例えば、外部通信コントロール部１２５が制御結果に対応する操作結果であるパレット着床／入出庫扉開通知をサーバ１１０に送信する。
第二外部通信コントロール部操作結果送信工程Ｓ６２は、外部通信コントロール部が制御結果に対応する操作結果である入出庫完了／入出庫扉閉通知をサーバ１１０に送信する工程である。
例えば、外部通信コントロール部１２５が制御結果に対応する操作結果である入出庫完了／入出庫扉閉通知をサーバ１１０に送信する。
ここで、入出庫完了／入出庫扉閉通知は、入庫または出庫が完了して、入出庫扉が閉じたことを意味する通知である。
【００７３】
サーバ操作結果送信工程Ｓ７０は、第一サーバ操作結果送信工程Ｓ７１と第二サーバ操作結果送信工程Ｓ７２とで構成される。
【００７４】
第一サーバ操作結果送信工程Ｓ７１は、サーバが受信した操作結果である入出庫扉開通知を利用者の操作する特定電気通信機器へ送信する工程である。
例えば、サーバ１１０が、受信した操作結果である入出庫扉開通知を利用者の操作する特定電気通信機器１３０へ送信する。
ここで、入出庫扉開通知は、入出庫扉が開いたことを意味する通知である。
第一サーバ操作結果送信工程Ｓ７１は、サーバが受信した操作結果であるパレット着床／入出庫扉開通知を利用者の操作する特定電気通信機器へ送信する工程である。
例えば、サーバ１１０が、受信した操作結果であるパレット着床／入出庫扉開通知を利用者の操作する特定電気通信機器１３０へ送信する。
ここで、パレット着床／入出庫扉開通知は、パレットが入出庫空間に着床し、入出庫扉が開いたことを意味する通知である。
入庫操作であれば、空パレットが入出庫空間に着床する。
出庫操作であれば、出庫される車両を搭載したパレットが入出庫空間に着床する。
【００７５】
第二サーバ操作結果送信工程Ｓ７２は、サーバ１１０が受信した操作結果である入出庫完了／入出庫扉閉通知を利用者の操作する特定電気通信機器へ送信する工程である。
例えば、サーバ１１０が、受信した操作結果である入出庫完了／入出庫扉閉通知を利用者の操作する特定電気通信機器１３０へ送信する。
ここで、入出庫完了／入出庫扉閉通知は、入庫または出庫が完了し、入出庫扉を閉じたことを意味する通知である。
【００７６】
通信確保工程Ｓ２０を実行した後で、第一操作指令受信工程Ｓ４１と第一入出庫工程Ｓ５１と第一外部通信コントロール部操作結果送信工程Ｓ６１と第一サーバ操作結果送信工程Ｓ７１とを実行した後で、第二操作指令受信工程Ｓ４２と第二入出庫工程Ｓ５２と第二外部通信コントロール部操作結果送信工程Ｓ６２と第二サーバ操作結果送信工程Ｓ７２とを、実行して、利用者の乗る車両を入庫または出庫させる。
通信確保工程Ｓ２０を実行した後で、利用者認証工程Ｓ３０と第一操作指令受信工程Ｓ４１と第一入出庫工程Ｓ５１と第一外部通信コントロール部操作結果送信工程Ｓ６１と第一サーバ操作結果送信工程Ｓ７１とを実行した後で、第二操作指令受信工程Ｓ４２と第二入出庫工程Ｓ５２と第二外部通信コントロール部操作結果送信工程Ｓ６２と第二サーバ操作結果送信工程Ｓ７２とを、実行した後で、通信遮断工程Ｓ８０を実行して、利用者の乗る車両を入庫または出庫させてもよい。
【００７７】
利用者認証工程Ｓ３０と通信遮断工程Ｓ８０の構成は、第一の実施形態にかかる駐車場の運用方法の者と同じなので、説明を省略する。
【００７８】
通信診断工程Ｓ９１と外部通信コントロール部警告通信工程Ｓ９２とサーバ警告通信工程Ｓ９３の構成は、第一の実施形態にかかる駐車場の運用方法の者と同じなので、説明を省略する。
【００７９】
以下に、本発明の実施形態にかかる駐車場の運用方法を用いてする入出庫操作の手順を、図を基に、まとめて簡単に説明する。
以下では、利用者が駐車場の操作盤を直接に操作する場合の操作手順の説明を省略する。
図９は、本発明の実施形態に係る駐車場の入出庫の通信データ対応図である。
【００８０】
利用者が電気通信機器１３０の表面上のバーチャルな操作盤に操作をして、サーバを介して駐車場を操作する。
利用者が、電気通信機器１３０に対して操作「操作手順」をする。
電気通信機器１３０は、操作「操作手順」に対応する信号「操作指令」を  外部通信コントロール部１２５に送信する。
外部通信コントロール部１２５は、駐車場制御装置１２４に信号「操作指令」に対応する信号「制御指令」を送信する。
駐車場制御装置１２４は、信号「制御指令」を基に駐車場を制御して、駐車場に入出庫動作をさせる。
駐車場制御装置１２４は、駐車場１２０が所定の入出庫動作を完了すると、外部通信コントロール部１２５に信号「操作結果」を送る。
外部通信コントロール部１２５がサーバ１１０に信号「操作結果」を送る。
サーバ１１０は、電気通信機器１３０に信号「操作結果」を送る。
電気通信機器１３０は利用者に「操作結果」を知らせる。
【００８１】
次に、本発明の実施形態の駐車場の利用者認証方法を作用した駐車システム１００の作用を、入庫操作機能と出庫操作機能に分けて、図を用いて、説明する。
図１０は、本発明の実施形態にかかる駐車システム１００における入庫操作機能を示している。
入庫操作機能は、（利用前の安全教育）（入庫前の認証）（入庫開始から完了まで）で構成される。
【００８２】
（利用前の安全教育）
利用者が駐車システム１００を利用する前に、利用者を安全教育する。
利用者６０は、電気通信機器３０を操作する。
利用の心得、電気通信機器を操作する手順、等が、電気通信機器３０の画面に、文字情報、映像情報を用いて示される。
利用者６０は、電気通信機器３０の画面により安全教育をうける。
利用者６０を特定利用者に認定する。
【００８３】
（入庫前の認証）
利用者が車両を運転して入出庫空間の前に止まる。
外部通信コントロール部１２５と電気通信機器１３０とが近距離通信する。
駐車場１２０の外部通信コントロール部１２５と電気通信機器１３０が近距離通信をし、利用者を認証する。
サーバ１１０が、電気通信機器１３０を特定電気通信機器に認定し、駐車場を特定駐車場に認定する。
【００８４】
（入庫開始）〜（扉が開くまで）
利用者が電気通信機器１３０の画面を見て、入庫操作を開始させる。
空パレットが入出庫空間に位置する。
入出庫扉が開く、
【００８５】
（扉開後）〜（利用者の駐車完了）
利用者が、車両を運転して入出庫空間にいれる。
利用者が、車両から降りて、入出庫空間の外にでる。
【００８６】
（利用者の駐車完了）〜（入庫完了）
利用者が、電気通信機器１３０の画面をみて、入出庫空間の安全を確認する。
利用者が、入出庫空間に人、物がないことを確認すると、電気通信機器１３０の画面の安全確認釦を押す。
入出庫空間扉が閉じる。
入庫操作を完了する。
【００８７】
図１１は、本発明の実施形態にかかる駐車システム１００における出庫操作機能を示している。
入庫操作機能は、（出庫前の認証）（出庫開始から完了まで）で構成される。
【００８８】
（出庫前の認証）
特定利用者が入出庫空間の前に立つ。
外部通信コントロール部１２５と電気通信機器１３０とが近距離通信する。
駐車場１２０の外部通信コントロール部１２５と電気通信機器１３０が近距離通信をし、互いのパーキングＩＤと顧客ＩＤとを交換する。
サーバ１１０が、利用者を認証する。
【００８９】
（出庫開始）〜（扉が開くまで）
利用者が電気通信機器１３０の画面を見て、出庫操作を開始させる。
呼びだした車両を搭載するパレットが入出庫空間に位置する。
入出庫扉が開く、
【００９０】
（扉開後）〜（利用者の車両移動）
利用者が、入出庫空間に入る。
利用者が、車両に乗り込み、車両を入出庫空間の外にだす。
【００９１】
（利用者の車両移動）〜（出庫完了）
利用者が、電気通信機器１３０の画面をみて、入出庫空間の安全を確認する。
利用者が、入出庫空間に人、物がないことを確認すると、電気通信機器１３０の画面の安全確認釦を押す。
入出庫空間扉が閉じる。
出庫操作を完了する。
【００９２】
また、本発明の実施形態に係る駐車場１２０の運用方法は、その構成により、以下の効果を有する。
外部通信コントロール部１２５が、利用者６０の操作する電気通信機器１３０との通信を確保した後、特定電気通信機器１３０から操作指令を受信し、受信された操作指令に基づき利用者６０の乗る車両５０を入庫または出庫させるために駐車場１２０を制御し、車両５０を入庫または出庫させるために駐車場１２０を制御した結果に対応する操作結果をサーバ１１０に送信し、、サーバ１１０が受信した操作結果を利用者６０の操作する特定電気通信機器１３０へ送信する工程を必要な回数だけ繰り返して利用者６０の乗る車両５０を入庫または出庫させる様にしたので、利用者６０の電気通信機器１３０に対する操作により利用者６０の乗る車両５０を駐車場１２０に入庫または出庫させることができる。
また、外部通信コントロール部１２５が、入出庫口の前に位置する利用者６０の操作する電気通信機器１３０との通信を確保した後、特定電気通信機器１３０から操作指令を受信し、受信された操作指令に基づき利用者６０の乗る車両５０を入庫または出庫させるために駐車場１２０を制御し、車両５０を入庫または出庫させるために駐車場１２０を制御した結果に対応する操作結果をサーバ１１０に送信し、、サーバ１１０が受信した操作結果を利用者６０の操作する特定電気通信機器１３０へ送信する工程を必要な回数だけ繰り返して利用者６０の乗る車両５０を入庫または出庫させる様にしたので、
利用者６０の電気通信機器１３０に対する操作により利用者６０の乗る車両５０を駐車場１２０に入庫または出庫させることができる。
また、駐車場制御装置１２４が、制御指令を受け取り車両を入庫または出庫させために駐車場を制御をする装置であり、外部通信コントロール部１２５が受信した操作指令に対応する制御指令を駐車場制御装置１２４に送信し、駐車場制御装置１２４が受信した制御指令を基にして車両を入庫または出庫させるために駐車場１２０を制御した後で制御結果を外部通信コントロール部へ送信する様にしたので、駐車場制御装置は、外部通信コントロール部からの制御指令を基にして駐車場を制御した後でその制御結果を外部通信コントロール部に送信することで、車両を入庫または出庫させることができる。
また、駐車場制御装置１２４が、制御指令を受け取り車両を入庫または出庫させために駐車場を制御をする装置であり、外部通信コントロール部１２５が受信した操作指令に対応する制御指令を駐車場制御装置１２４に送信し、駐車場制御装置１２４が受信した制御指令を基にして車両を入庫または出庫させるために駐車場１２０を制御した後で車両を入庫または出庫させるために駐車場を制御した結果である制御結果を外部通信コントロール部へ送信する様にしたので、駐車場制御装置は、外部通信コントロール部からの制御指令を基にして駐車場を制御した後でその制御結果を外部通信コントロール部に送信することで、車両を入庫または出庫させることができる。
また、外部通信コントロール部１２５が、利用者６０の操作する電気通信機器１３０との通信を確保した後、操作指令受信工程と入出庫工程と外部通信コントロール部操作結果送信工程とサーバ１１０結果送信工程とを繰り返し実行して、利用者６０の乗る車両５０を入庫または出庫させた後で、特定電気通信機器１３０との通信を遮断するまでの間に、
利用者６０の操作する特定電気通信機器１３０との通信が確保されているか否かを診断し、特定電気通信機器１３０との通信が確保されていないと診断したとき、サーバ１１０に警告通知を送信し、サーバ１１０が受信した警告通知を利用者６０の操作する特定電気通信機器１３０に送信する様にしたので、車両５０を入庫または出庫させている最中に、利用者６０が入出庫口から立ち去る等をして、外部通信コントロール部１２５と特定電気通信機器１３０との通信が途絶えたときに、利用者６０の操作する特定電気通信機器１３０に警告通知を送ることができる。
また、外部通信コントロール部１２５が、特定電気通信機器１３０から車両５０を入庫または出庫させるための操作指令である入出庫扉開指令を受信し、外部通信コントロール部１２５により受信された操作指令に基づき利用者６０の乗る車両５０を入庫または出庫させるために駐車場１２０を制御して入出庫扉を開き、車両５０を入庫または出庫させるために駐車場１２０を制御した結果である制御結果に対応する操作結果である入出庫扉開通知をサーバ１１０に送信し、サーバ１１０が受信した操作結果である入出庫扉開通知を利用者６０の操作する特定電気通信機器１３０へ送信した後で、外部通信コントロール部１２５が特定電気通信機器１３０から車両５０を入庫または出庫させるための操作指令である入出庫扉閉指令を受信し、外部通信コントロール部１２５により受信された操作指令に基づき利用者６０の乗る車両５０を入庫または出庫させるために駐車場１２０を制御して入出庫扉を閉じ、外部通信コントロール部１２５が車両５０を入庫または出庫させるために駐車場１２０を制御した結果である制御結果に対応する操作結果である入出庫完了／入出庫扉閉通知をサーバ１１０に送信し、サーバ１１０が受信した操作結果である入出庫完了／入出庫扉閉通知を利用者６０の操作する特定電気通信機器１３０へ送信して利用者６０の乗る車両５０を入庫または出庫させる様にしたので、利用者６０の電気通信機器１３０に対する操作により利用者６０の乗る車両５０を駐車場１２０に入庫または出庫させることができる。
外部通信コントロール部１２５が、利用者の操作する電気通信機器１３０との通信を確保した後、特定電気通信機器１３０から操作指令を受信し、受信された操作指令に基づき利用者の乗る車両を入庫または出庫させた後で、特定電気通信機器１３０との通信を遮断するまでの間に、利用者の操作する特定電気通信機器１３０との通信が確保されているか否かを診断し、特定電気通信機器１３０との通信が確保されていないと診断したとき、サーバ１１０に警告通知を送信し、サーバ１１０が受信した警告通知を利用者の操作する特定電気通信機器１４０に送信する様にしたので、車両を入庫または出庫させている最中に、利用者が入出庫口から立ち去る等をして、外部通信コントロール部１２５と特定電気通信機器１３０との通信が途絶えたときに、利用者の操作する特定電気通信機器１４０に警告通知を送ることができる。
【００９３】
本発明は以上に述べた実施形態に限られるものではなく、発明の要旨を逸脱しない範囲で各種の変更が可能である。
【符号の説明】
【００９４】
Ｋ  一時停止領域
５０  車両
６０  利用者
１００  駐車システム
１１０  サーバ
１２０  駐車場
１２１  駐車場本体
１２２  入出庫空間
１２３  入出庫扉
１２４  駐車場制御装置
１２５  外部通信コントロール部
１３０  電気通信機器
１４０  電子通信網
Ｓ１０  準備工程
Ｓ２０  通信確保工程
Ｓ３０  利用者認証工程
Ｓ４０  操作指令受信工程
Ｓ４１  第一操作指令受信工程
Ｓ４２  第二操作指令受信工程
Ｓ５０  入出庫工程
Ｓ５０ａ  外部通信コントロール部制御指令送信工程
Ｓ５０ｂ  駐車場制御工程
Ｓ５１  第一入出庫工程
Ｓ５１ａ  第一外部通信コントロール部制御指令送信工程
Ｓ５１ｂ  第一駐車場制御工程
Ｓ５２  第二入出庫工程
Ｓ５２ａ  第二外部通信コントロール部制御指令送信工程
Ｓ５２ｂ  第二駐車場制御工程
Ｓ６０  外部通信コントロール部操作結果送信工程
Ｓ６１  第一外部通信コントロール部操作結果送信工程
Ｓ６２  第二外部通信コントロール部操作結果送信工程
Ｓ７０  サーバ操作結果送信工程
Ｓ７１  第一サーバ操作結果送信工程
Ｓ７２  第二サーバ操作結果送信工程
Ｓ８０  通信遮断工程
Ｓ９１  通信診断工程
Ｓ９２  外部通信コントロール部警告通知送信工程
Ｓ９３  サーバ警告通知送信工程
【先行技術文献】
【特許文献】
【００９５】
【特許文献１】特開２０１５−１０８２２７号
【図１】
2018044423.tif 000003
【図２】
2018044423.tif 000004
【図３】
2018044423.tif 000005
【図４】
2018044423.tif 000006
【図５】
2018044423.tif 000007
【図６】
2018044423.tif 000008
【図７】
2018044423.tif 000009
【図８】
2018044423.tif 000010
【図９】
2018044423.tif 000011
【図１０】
2018044423.tif 000012
【図１１】
2018044423.tif 000013
【図１２】
2018044423.tif 000014